(57)【要約】      （修正有）【課題】軽量で、コンパクトに折り畳むことができるので携帯に便利であり、折り畳んだ状態から迅速かつ容易に使用することができる足置き台を提供する。【解決手段】段ボール紙で形成された板材を山形に折り曲げて形成した足置き台１０であって、上端に設けた平坦面部１と、平坦面部の両側部からそれぞれ下向きに傾斜した一対の側板部２，３と、一対の側板部同士を連結する連結テープ４とを備える。板材はカバー材で被覆されているのが好ましい。【選択図】図１
0003210814.tif 000002
【実用新案登録請求の範囲】
【請求項１】
板材を山形に折り曲げて形成した足置き台であって、
上端に設けた平坦面部と、
この平坦面部の両側部からそれぞれ下向きに傾斜した一対の側板部と、
この一対の側板部同士を連結する連結テープと、を備えたことを特徴とする足置き台
【請求項２】
前記板材が段ボール紙で形成された請求項１に記載の足置き台。
【請求項３】
少なくとも前記平坦面部に弾性部材を配置した請求項１または２に記載の足置き台。
【請求項４】
前記板材は、カバー材で被覆されている請求項１〜３のいずれかに記載の足置き台。
【考案の詳細な説明】
【技術分野】
【０００１】
本考案は、飛行機などの乗り物の座席の前に設置されて、座席に座った人が足を置くための足置き台に関するものである。
【背景技術】
【０００２】
例えば鉄道車両や飛行機で長距離を移動する場合、長時間座席に着座した状態が続くと、脚足の血液の循環が悪くなり、いわゆるエコノミークラス症候群を惹起するおそれがある。この対策として、靴などの履物を脱いで足置き台に足を置くことが有効とされている。このような足置き台（フットレスト）は、前の座席の後面などに設けられていることもあるが、例えば自由席やエコノミークラス等の座席には設けられていないことが多い。そのため、例えば特許文献１、２に示すような、持ち運び可能な携帯形の足置き（台）が使用されている。
【先行技術文献】
【特許文献】
【０００３】
【特許文献１】特開２０００−１３９６１９号公報
【特許文献２】特開２００７−０２９６７２号公報
【考案の概要】
【考案が解決しようとする課題】
【０００４】
特許文献１に記載の足置き台は、空気を注入して袋状体を膨らませて使用するため、軽量で携帯性に優れるが、使用前に十分に空気を注入する作業と使用後には空気を抜く作業とが必要である。このような使用前および使用後の作業は、足置き台を容易に使用するための手間となる。また、袋状態の空気圧を十分に大きくしないと足置き台として不安定になる。
特許文献２の足置き台は、ベース台から足載せ台を引き出すものであり、使用が容易ではあるが、材料としてアクリル（プラスチック）などを用いており、軽量ではなく、携帯性に優れていない。さらに、形状の成形や組立てが面倒であり、製造コストがかかる。
【０００５】
本考案の課題は、軽量で、コンパクトに折り畳むことができるので携帯に便利であり、折り畳んだ状態から迅速かつ容易に使用することができる足置き台を提供することである。
【課題を解決するための手段】
【０００６】
本考案者は、上記課題を解決すべく鋭意検討を重ねた結果、１枚の板状の板材を略山形に折り曲げて、足置き台を形成することにより、簡単で使いやすく、しかも軽量でかつ携帯に便利である足置き台を提供できるという新たな事実を見出し、本考案を完成するに至った。
【０００７】
すなわち、本考案の足置き台は、以下の構成を有する。
（１）板材を山形に折り曲げて形成した足置き台であって、上端に設けた平坦面部と、この平坦面部の両側部からそれぞれ下向きに傾斜した一対の側板部と、この一対の側板部同士を連結する連結テープとを備えたことを特徴とする足置き台
（２）前記板材が段ボール紙で形成された（１）に記載の足置き台。
（３）少なくとも前記平坦面部に弾性部材を配置した（１）または（２）に記載の足置き台。
（４）前記板材は、カバー材で被覆されている（１）〜（３）のいずれかに記載の足置き台。
【考案の効果】
【０００８】
本考案の足置き台は、使用時には略山形の上端の平坦面部に足を置いて使用する。使用者は、足を置く場所が平坦なため、安定して使用することができる。また、携帯や保管・収納するときは、一対の側板部を重ね合わせて折り畳むことができ、これにより足置き台は偏平な状態となるため、嵩張らずコンパクトになり、そのまま鞄などに簡単に収納し携行することができる。
また、１枚の板状の板材で形成されており、板材の材質が段ボール紙であれば、軽量で、製造コストも安く、折り曲げやすい。
また、少なくとも平坦面部に弾性部材を設けたり、板材をカバー材で被覆すれば、快適に足を置くことができる。
【図面の簡単な説明】
【０００９】
【図１】本考案の一実施形態に係る足置き台の使用状態を示す概略斜視図である。
【図２】足置き台に係る板材の展開図である。
【図３】図１の概略断面図である。
【図４】図１の足置き台の折り畳み状態を示す概略斜視図である。
【考案を実施するための形態】
【００１０】
本考案の一実施形態に係る足置き台１０は、図１に示すように、平坦面部１と、一対の側板部２、３と、連結テープ４とを含む。
【００１１】
平坦面部１は、図１に示すような使用時には、略山形の足置き台１０の上端部（天端）であり、使用者の足置き部となるように床部（設置面）と水平に形成される。この平坦面部１は、両端が一対の側板部２，３と連結して支持される。
【００１２】
一対の側板部２、３は、それぞれが略山形をなすように、平坦面部１の両側部から互いに下向きに傾斜している。図１に示すような使用時には、一対の側板部２、３の傾きの角度は任意であり、側板部２、３はそれぞれの傾きの角度が異なっていてもよい。
【００１３】
連結テープ４は、図１に示すように、一対の側板部２、３の下端同士を連結する。この連結テープ４は少なくとも１つ取り付けられており、一対の側板部２、３の下端を連結可能であれば特に取り付け位置は限定されず、例えば側板部２，３の表面または裏面のいずれに取り付けられていてもよい。この連結テープ４は柔軟性を有するものがよく、例えば織布や不織布、プラスチックシート等からなるバンドまたはシートが挙げられる。また、連結テープ４は、一対の側板部２、３の下端に着脱自在に設置されていると、破損や汚損した場合の交換が容易である。
【００１４】
連結テープ４には、床面Ｂと接する側に滑り止め９（図３参照）が付設されていてもよい。滑り止め９により、足を置いた時に側板部１０が滑ることを防ぐことができる。この滑り止め９としては、軽量で床面Ｂに対して摩擦力（係数）が大きければよく、例えばゴムシートなどが挙げられる。
【００１５】
連結テープ４は、少なくとも一端に留め具４１を有しており、この留め具４１で側板部２，３の少なくとも一方の面に設けた受け部４２に着脱自在に取り付けられる。この受け部４２上の留め具４１の位置をずらせば、一対の側板部２，３の開口幅の長さを調整することができ、足置き台１０の高さを調整することができる。
【００１６】
留め具４１および受け部４２は、着脱自在であれば特に限定されない。例えば留め具４１としてボタン、爪部および面ファスナーなどが挙げられるが、軽量で着脱が容易な点から面ファスナーがよい。なお、連結テープ４は２本のバンドで形成されているが、１本以上であれば特に限定されない。
【００１７】
足置き台１０は、不使用時には、図４に示すように、一対の側板部２，３を互いに折り畳み、足置き台１０を偏平な状態にすることができる。このとき、連結テープ４は、一対の側板部２，３内に折り畳まれるのがよい。
【００１８】
図２は足置き台１０の板材８の展開図である。足置き台１０は、軽量で且つ強度と柔軟性を有する１枚の板状の板材８から形成される。板材８の中央には、平坦面部１が設けられ、平坦面部１の左右には、折曲線１２，１３を介して、一対の側板部２，３が配置されている。このように、１枚の板材８を折曲線１２，１３で略山形に折り曲げて、平坦面部１および一対の側板部２，３を形成することができる。なお、図２では側板部２，３の下端の連結テープ４は省略している。
【００１９】
板材８に折曲線１２，１３があると、足置き台１０を収納する際に、側板部２，３を折り畳みやすくなる。
【００２０】
板材８としては、例えば紙や樹脂板、あるいはそれらを複合したものなどが挙げられるが、好ましくは厚紙または段ボール紙がよい。特に段ボール紙は、剛性を有し、軽量であり、且つ再利用が容易にできるため環境にもよい。さらに原材料や成形も安価である。
【００２１】
足置き台１０は、図３に示すように、平坦面部１および一対の側板部２，３の板材８の表面に、弾性部材５を配置してもよい。板材８と弾性部材５とはカバー材６で被覆される。なお、弾性部材５は少なくとも平坦面部１に取り付けられていればよい。
【００２２】
弾性部材５は、例えば発泡プラスチック、ゴムなどの軽量で弾力性のある発泡体などが挙げられる。このような弾性部材５は、使用者の足の負担を低減する効果がある。この弾性部材５は弾力性があるので、足置き台１０に取り付けても、折り畳む時に嵩張らない。この弾性部材５は、平坦面部１および一対の側板部２，３を構成する例えば段ボール紙などの板材８に、接着剤や糸による縫合などで予め接合されてもよいし、カバー材６内で板材８と重ね合わせて収納してもよい。
【００２３】
カバー材６は、板材８を被覆するものである。カバー材６の形状としては例えば袋状、筒状などが挙げられ、デザイン変更や洗濯などのために板材８から容易に取り外し可能であるのがよい。このカバー材６には例えば織布または不織布からなる布材が用いられるのがよい。
【００２４】
次に、足置き台１０の使用方法について説明する。足置き台１０の使用時には、鞄や袋などから折り畳まれた状態の足置き台１０（図４参照）を取り出し、略山形にして、足置き台１０の連結テープ４を下にして座席の前の床面Ｂなどに置き、平坦面部１の上に足を置けばよい。また、連結テープ４が留め具４１と受け部４２とを備える場合は、留め具４１を受け部４２に係止させて、連結テープ４で一対の側板部２，３を連結した後、足置き台１０を床面Ｂに置き、平坦面部１の上に足を置けばよい。
平坦面部１に足を置いた時、足の自重は、平坦面部１を支持する一対の側板部２、３で形成される山形を、下方向に押しつぶすように加わる。その力を一対の側板部２，３を下端で連結する連結テープ４が引張力として受け、一対の側板部２、３が一定以上開かないように支持する。これにより足置き台１０は、足を平坦面部１で安定に支持することができる。
【００２５】
一方、足置き台１０の非使用時（携行時や保管・収納時）には、一対の側板部２，３を折り畳み、鞄や袋に収納すれば、足置き台１０は偏平な状態となり、軽量かつコンパクトであるので、鞄や袋に収納しても嵩張らず、旅行などに携帯するのに便利である。
【００２６】
足置き台１０は、本実施形態に限定されず、種々の改良や変更が可能である。例えば予め平坦面部１に弾性部材５を設けてもよいし、あるいは板材８をカバー材６で被覆していてもよい。
【符号の説明】
【００２７】
１      平坦面部
２、３  側板部
４      連結テープ
５      弾性部材
６      カバー材
８      板材
９      滑り止め
１０      足置き台
１２，１３  折曲線
４１  留め具
４２  受け部
Ｂ    床面
【図１】
0003210814.tif 000003
【図２】
0003210814.tif 000004
【図３】
0003210814.tif 000005
【図４】
0003210814.tif 000006